(57)【要約】      （修正有）【課題】複数のカテゴリの衣類についてのサイズ感をユーザが把握できる端末装置、情報処理方法及びプログラムを提供する。【解決手段】ユーザの身体の寸法を示す寸法情報を取得し、複数のカテゴリについてカテゴリ毎にアイテムのサイズと前記寸法との対応関係を示すサイズ情報と、取得した寸法情報とに基づいて利用者に推奨するサイズを複数のカテゴリ毎に表示することで、複数のカテゴリの衣類についてのサイズ感をユーザが把握し易いようにする。【選択図】図２
2020095633.tif 000002
【特許請求の範囲】
【請求項１】
利用者の身体の寸法を示す寸法情報を取得する取得部と、
複数のカテゴリについてカテゴリ毎にアイテムのサイズと前記寸法との対応関係を示すサイズ情報を記憶する記憶部と通信する通信部と、
前記取得部が取得した寸法情報と前記記憶部が記憶しているサイズ情報とに基づいて導出され、前記利用者に推奨するサイズを含む推奨情報を、前記複数のカテゴリ毎に表示する表示部と、
を有することを特徴とする端末装置。
【請求項２】
前記利用者による操作を受け付ける受付部
をさらに備える請求項１に記載の端末装置。
【請求項３】
前記表示部は、前記取得部が取得した寸法情報が示す利用者の身体の寸法を表示する
請求項２に記載の端末装置。
【請求項４】
前記表示部が表示する利用者の身体の寸法を、前記利用者を識別するための識別情報と対応づけて記憶部に記憶させるための操作を、前記受付部が受け付ける
請求項３に記載の端末装置。
【請求項５】
前記受付部は、前記表示部により表示している利用者の身体の寸法を変更する操作をさらに受け付ける
請求項４に記載の端末装置。
【請求項６】
前記受付部は前記利用者によるカテゴリを選択するための操作を受け付け、前記表示部は前記受付部が受け付けた操作に対応するカテゴリについて前記推奨情報を表示する
請求項２乃至５のいずれか一項に記載の端末装置。
【請求項７】
前記カテゴリは複数の階層によって分類されており、前記表示部は、前記受付部が受け付ける上位階層のカテゴリ選択操作が示す上位階層のカテゴリに分類されている下位階層のカテゴリについての前記推奨情報を、前記下位階層のカテゴリ毎に表示する
請求項６に記載の端末装置。
【請求項８】
前記受付部により前記表示部が表示しているアイテムの１つが選択されると、前記表示部は、当該アイテムについての情報を表示する請求項２乃至７のいずれか一項に記載の端末装置。
【請求項９】
前記受付部は、前記表示部が表示したアイテムを発注する発注操作を受け付け、前記表示部は、前記発注操作に基づく発注情報を表示する
請求項２乃至８のいずれか一項に記載の端末装置。
【請求項１０】
前記通信部は前記記憶部からアイテムについての在庫情報を取得し、
前記表示部は、取得した在庫情報に基づいて、前記カテゴリに含まれるアイテムのうち、前記推奨情報が示すサイズの在庫があるアイテムを、前記推奨情報が示すサイズの在庫がないアイテムに対して優先的に表示する
請求項１乃至９のいずれか一項に記載の端末装置。
【請求項１１】
前記表示部は、前記推奨情報が示すサイズのアイテムに対する他の利用者による評価を表示する
請求項１乃至１０のいずれか一項に記載の端末装置。
【請求項１２】
前記表示部は、前記取得部により取得した寸法情報が示す寸法に類似する寸法の他の利用者による評価を表示する
請求項１１に記載の端末装置。
【請求項１３】
前記表示部は、前記寸法情報が示す寸法のアイテムを購入した他の利用者による評価を当該寸法のアイテムを購入していない利用者と区別して表示する
請求項１０又は請求項１２に記載の端末装置。
【請求項１４】
前記取得部は、利用者が撮像された画像に基づいて当該利用者の身体の寸法を測定する採寸装置によって生成される寸法情報を取得する
請求項１乃至１３のいずれか一項に記載の端末装置。
【請求項１５】
前記寸法情報は、アイテムの販売店舗に設置される表示装置に表示される画像に埋め込まれ、前記取得部は、前記表示装置に表示される画像を撮像し解読することにより、前記寸法情報を取得する
請求項１乃至１４のいずれか一項に記載の端末装置。
【請求項１６】
前記サイズ情報は、アイテムの各部の寸法と、当該アイテムの各部に対応する身体の各部の寸法との間の対応関係に基づいて生成されている
請求項１乃至１４のいずれか一項に記載の端末装置。
【請求項１７】
利用者の身体の寸法を示す寸法情報を取得する取得工程と、
複数のカテゴリについてカテゴリ毎にアイテムのサイズと寸法との対応関係を示すサイズ情報を記憶する記憶部と通信する通信工程と、
前記取得工程において取得した寸法情報と前記記憶部が記憶しているサイズ情報とに基づいて、前記利用者に推奨するサイズを含む推奨情報を、前記複数のカテゴリ毎に表示する表示工程と、
を有することを特徴とする情報処理方法。
【請求項１８】
コンピュータを、
利用者の身体の寸法を示す寸法情報を取得する取得部と、
複数のカテゴリについてカテゴリ毎にアイテムのサイズと寸法との対応関係を示すサイズ情報を記憶する記憶部と通信する通信部と、
前記取得部が取得した寸法情報と前記記憶部が記憶しているサイズ情報とに基づいて導出され、前記利用者に推奨するサイズを含む推奨情報を、前記複数のカテゴリ毎に表示する表示部
として機能させるコンピュータ読み取り可能なプログラム。
【発明の詳細な説明】
【技術分野】
【０００１】
本発明は、衣類の購入を支援するための端末装置、情報処理方法及びプログラムに関する。
【背景技術】
【０００２】
従来、ユーザの体の少なくとも一部を撮影してユーザの身体の寸法を測定し、ユーザが特定した衣類について推奨のサイズを提案し、衣類の購入を支援するシステムが開示されている（例えば、特許文献１）。
【先行技術文献】
【特許文献】
【０００３】
【特許文献１】特開２０１８−１８３８２号公報
【発明の概要】
【発明が解決しようとする課題】
【０００４】
例えば、アパレル業界の商品では、同じブランドのボトムスであっても、ジーンズ（インチ表記）とショートパンツ（ＸＳ,Ｓ，Ｍ，Ｌ,ＸＬ表記）の様に異なるカテゴリの衣類ではサイズ表記の仕方が異なる事が多い。また、同じユーザであっても衣類のカテゴリによっては推奨のサイズが大きく異なることもある。しかし、特許文献１に開示されているシステムでは、ユーザが特定した商品についての推奨サイズを提案するだけであり、複数のカテゴリの衣類についてのサイズ感をユーザが把握し難かった。例えば、ボトムスを買おうと決めてはいるものの、まだどのカテゴリのボトムスを購入するか決めていないユーザにとっては、使いづらかった。
【課題を解決するための手段】
【０００５】
上記課題を解決するために本発明に係る端末装置は、利用者の身体の寸法を示す寸法情報を取得する取得部と、複数のカテゴリについてカテゴリ毎にアイテムのサイズと前記寸法との対応関係を示すサイズ情報を記憶する記憶部と通信する通信部と、前記取得部が取得した寸法情報と前記記憶部が記憶しているサイズ情報とに基づいて導出され、前記利用者に推奨するサイズを含む推奨情報を、前記複数のカテゴリ毎に表示する表示部と、を有することを特徴とする。
【発明の効果】
【０００６】
本発明によれば、ユーザが複数の衣類のカテゴリについて自分のサイズ感を把握することができ、衣類の購入時のユーザの利便性を向上させることができる。
【図面の簡単な説明】
【０００７】
【図１】推奨サイズ提示システムの概略構成の一例を示すブロック図である。
【図２】デジタルサイネージ装置に表示する画像の一例を示す模式図である。
【図３】サイズ情報を示す図である。
【図４】サイズ情報を示す図である。
【図５】サイズ情報を示す図である。
【図６】サイズ表を示す図である。
【図７】推奨サイズ提示システムの処理を示すフローチャートである。
【図８】端末装置の表示部の画面遷移を示す模式図である。
【図９】マイサイズ登録画面の一例を示す図である。
【図１０】推奨サイズ表示画面の一例を示す図である。
【図１１】アイテム購入画面の一例を示す図である。
【図１２】アイテム情報画面の一例を示す図である。
【図１３】推奨サイズ表示画面の一例を示す図である。
【発明を実施するための形態】
【０００８】
［実施形態１］
以下、図面を参照し、本発明の実施形態について説明する。
図１は、本実施形態の推奨サイズ提示システム１の概略構成の一例を示す図である。推奨サイズ提示システム１は、サーバ装置１０と、端末装置２０と、ボディースキャナ装置ＢＳＣと、デジタルサイネージ装置ＳＮＧとを備える。
ボディースキャナ装置ＢＳＣは、非接触方式の測定器によって利用者Ｕの体型を測定する。ボディースキャナ装置ＢＳＣは、例えば、衣類の販売店舗のフィッティングルームや体型測定用の部屋などに備えられており、来店した利用者Ｕの身体の寸法（いわゆるヌード寸法）を測定する。例えば、ボディースキャナ装置ＢＳＣは、ユーザを全周囲（例えば、１０〜４５度間隔）から可視光画像を撮像し、既知の方法で３次元モデル化してから特定部位を測定する。ボディースキャナ装置ＢＳＣは、測定した身体の寸法をデジタルサイネージ装置ＳＮＧに出力する。身体の寸法の詳細については後述する。
なお、以下の説明において、利用者Ｕの身体の寸法（いわゆるヌード寸法）を、身体寸法ＤＭとも記載する。
【０００９】
デジタルサイネージ装置ＳＮＧは、ディスプレイＤＰやスピーカーＳＰ（いずれも不図示）を備えており、各種の情報を画像や音声として利用者Ｕに提示する。デジタルサイネージ装置ＳＮＧは、例えば、衣類の販売店舗の壁面に設置されている。デジタルサイネージ装置ＳＮＧは、ボディースキャナ装置ＢＳＣが出力する身体寸法ＤＭを取得すると、身体寸法ＤＭを示す二次元コードＣＤを生成し、生成した二次元コードＣＤをディスプレイＤＰに表示する。この二次元コードＣＤには、利用者Ｕの身体寸法ＤＭを示す寸法情報ＢＳＺが含まれている。デジタルサイネージ装置ＳＮＧがディスプレイＤＰに表示する画像の一例について、図２を参照して説明する。
【００１０】
図２は、本実施形態のデジタルサイネージ装置ＳＮＧに表示される画像の一例を示す模式図である。デジタルサイネージ装置ＳＮＧは、ディスプレイＤＰに利用者Ｕの身体寸法ＤＭを示す寸法情報ＢＳＺの画像と、二次元コードＣＤの画像とを表示する。上述したように二次元コードＣＤには、利用者Ｕの身体寸法ＤＭを示す寸法情報ＢＳＺが含まれている。
【００１１】
なお、利用者Ｕの身体寸法ＤＭを示す寸法情報ＢＳＺは、予めサーバ装置１０などの記憶装置に記憶されていてもよい。この場合、二次元コードＣＤは、寸法情報ＢＳＺが記憶されている場所へのアクセス情報（例えば、ＵＲＬ；uniform resource locator）を示すものであってもよい。二次元コードＣＤは単色のＱＲコード（登録商標）でもよいし、複数色のカメレオンコードであってもよい。
また、この一例では、デジタルサイネージ装置ＳＮＧは、寸法情報ＢＳＺを二次元コードＣＤによって表示するとして説明するが、これに限られない。寸法情報ＢＳＺは、バーコードなどの一次元コードや、他の形式のコードによって表現されていてもよい。
また、寸法情報ＢＳＺは、利用者Ｕに固有の情報であるため、機器間における情報のやり取りの内容ややり取りのタイミングが利用者Ｕに認識できる形式で行われることが望ましいと利用者Ｕが考える場合もありうる。デジタルサイネージ装置ＳＮＧは、画像を介して寸法情報ＢＳＺを提示するため、例えば、やり取りされる情報の内容や、やり取りのタイミングや利用者Ｕに認識されにくい無線通信などの手段によって寸法情報ＢＳＺを提供する場合に比べ、利用者Ｕの安心感を向上させることができる。なお、これらの懸念が比較的低い場合には、デジタルサイネージ装置ＳＮＧは、無線通信又は有線通信によって寸法情報ＢＳＺを提供してもよい。
【００１２】
［端末装置２０の概略構成］
図１に戻り、端末装置２０の機能構成について説明する。端末装置２０は、例えば、利用者Ｕが所持するスマートフォンなどの装置であり、取得部２１と、受付部２２と、通信部２３と、記憶部２４と、表示部２５と、制御部２６とを備える。
【００１３】
取得部２１は、例えば、レンズとセンサユニットを備えるカメラなどの撮像デバイスを備えており、各種の画像を撮像可能である。本実施形態の一例では、取得部２１は、デジタルサイネージ装置ＳＮＧに表示される二次元コードＣＤを取得する。上述したように、この二次元コードＣＤとは、利用者Ｕの身体寸法ＤＭを示す寸法情報ＢＳＺである。すなわち、取得部２１は、利用者Ｕの身体寸法ＤＭを示す寸法情報ＢＳＺを取得する。また、取得部２１にカメラの代わりにアンテナを設け、デジタルサイネージ装置ＳＮＧから寸法情報ＢＳＺを近距離無線通信によって取得してもよい。ここで、近距離とは、１ｍ以内の距離をいう。
【００１４】
受付部２２は、端末装置２０が備える操作デバイス（例えば、タッチパネル（不図示）やポインティングデバイス）に対する利用者Ｕの操作を受け付けるユーザインターフェースである。すなわち、端末装置２０は、利用者Ｕによる操作を受け付ける受付部２２を備える。
【００１５】
通信部２３は、無線又は有線によって他の装置との間において通信を行う。本実施形態の一例では、通信部２３は、ＴＣＰ／ＩＰプロトコルに従って、ネットワークＮＴを介してサーバ装置１０との間において情報の授受を行う。
記憶部２４は、ＲＯＭ（read‐only memory）やＲＡＭ（Random Access Memory）などの記憶デバイスを備えており、各種のデータ（サーバ装置１０から取得した寸法情報ＢＳＺ）や、後述のフローチャートの処理を実現するためのプログラムコードを記憶する。
表示部２５は、例えば、液晶ディスプレイを備えており、制御部２６の制御に基づいて画像を表示する。
制御部２６は、ＣＰＵやマイクロプロセッサを備えており、記憶部２４のＲＯＭやＲＡＭから読み出したプログラムを実行することにより、端末装置２０が備える各部の動作を制御したり、後述のフローチャートに示す処理を実行したりする。
【００１６】
［サーバ装置１０の機能構成］
サーバ装置１０は、例えば、推奨サイズ提示システム１の運用者が管理する装置であり、通信部１１と、演算部１２と、記憶部１３とを備える。
【００１７】
通信部１１は、無線又は有線によって他の装置との間において通信を行う。本実施形態の一例では、通信部１１は、ネットワークＮＴを介して端末装置２０との間において情報の授受を行う。
演算部１２は、ＣＰＵやマイクロプロセッサを備えており、記憶部１３から読み出したプログラムコードに基づいて、後述のフローチャートの処理を実現させる制御や情報演算を行う。
記憶部１３は、ＲＯＭやＲＡＭに加え、ハードディスクドライブなどの記憶デバイスを備えており、各種の情報を記憶する。本実施形態の一例では、記憶部１３は、サイズ情報ＤＳＺを記憶している。このサイズ情報ＤＳＺの一例について、図３から図５までを参照して説明する。
【００１８】
［サイズ情報ＤＳＺについて］
図３〜図５は、本実施形態のサイズ情報ＤＳＺの第１の例〜第３の例を示す概略図である。サイズ情報ＤＳＺとは、アイテムＩＴのサイズＳＺと身体寸法ＤＭとの対応関係を示す情報である。
アイテムＩＴとは、衣服や衣服以外に利用者Ｕが着用する物が広く含まれ、例えば、トップス、ボトムス、靴、帽子、ベルト、手袋、アクセサリーなどである。アイテムＩＴは、利用者Ｕの身体寸法ＤＭに応じた複数のサイズ展開がなされる。
サイズＳＺとは、アイテムＩＴの大きさを示す情報である。例えば、サイズＳＺは、アイテムＩＴの仕上がり寸法ＦＤＭを示す。仕上がり寸法ＦＤＭには、トップスについて肩幅・身幅・着丈・身丈・首周り・裄丈・袖丈・袖幅・前開きの深さ・襟の高さなど、ボトムスについてウエスト・ヒップ・股上・わたり幅・股下（レングス）・スカート丈・膝幅・裾幅など、靴についてかかとの高さ・ヒールの高さ・ふくらはぎ周り・筒の高さ・甲の周りなど、帽子について頭周り・高さなど、ベルトについて全長・一番手前の穴までの長さ・末端の穴までの長さなどの寸法要素が含まれる。
【００１９】
［カテゴリＣＡＴについて］
それぞれのアイテムＩＴは、複数のカテゴリＣＡＴのうちのあるカテゴリＣＡＴに分類される。カテゴリＣＡＴは、複数の階層（例えば、第１階層カテゴリＣＡＴ１及び第２階層カテゴリＣＡＴ２）に階層化されている。図３に示す一例の場合、第１階層カテゴリＣＡＴ１が「女性アウター」であり、第２階層カテゴリＣＡＴ２が「ジャケット・コート」である。
例えば、アイテムＩＴが「女性用のコート」である場合、このアイテムＩＴは、第１階層カテゴリＣＡＴ１が「女性アウター」、第２階層カテゴリＣＡＴ２が「ジャケット・コート」に分類される。
【００２０】
［サイズ表ＳＣＨについて］
ここで、サイズ情報ＤＳＺが生成される手順の一例について説明する。なお、サーバ装置１０が、アイテムＩＴのサイズ表ＳＣＨに基づいてサイズ情報ＤＳＺを生成する場合を一例にして説明するがこれに限られない。アイテムＩＴのサイズ表ＳＣＨについて説明する。サイズ表ＳＣＨとは、アイテムＩＴの仕上がり寸法ＦＤＭが示された表である。
【００２１】
図６は、本実施形態のサイズ表ＳＣＨの一つである「男性用ジーンズ」について、「服のサイズ」と「ウエスト寸法」との対応関係を示す図である。サイズ表ＳＣＨは、サーバ装置１０がアイテムＩＴのカテゴリＣＡＴ毎に用意し記憶している。
図６のサイズ表は「男性用ジーンズ」は、第１階層カテゴリＣＡＴ１が「男性ボトムス」、第２階層カテゴリＣＡＴ２が「ジーンズ」に分類されている（このサイズ表のメタデータとして、ＣＡＴ１「男性ボトムス」、ＣＡＴ２「ジーンズ」の分類情報を持っている）。男性用ジーンズについてのサイズ表ＳＣＨは、サイズＳＺをウエスト周りのインチ数によって示す。例えば、サイズＳＺが「２９（２９インチ）」である男性用ジーンズは、同図に示すように、サイズ表ＳＣＨにおいて、その仕上がり寸法ＦＤＭが、ウエスト７９．５（ｃｍ）、ヒップ９７．５（ｃｍ）、わたり幅３０（ｃｍ）、股上２３.５（ｃｍ）と規定している。
【００２２】
サイズ情報ＤＳＺは、上述したサイズ表ＳＣＨに基づいて、アイテムＩＴのカテゴリＣＡＴ毎に生成される。一例として、図６に示したサイズ表ＳＣＨに基づいて、図５に示したサイズ情報ＤＳＺ、すなわち男性用ジーンズのサイズ情報ＤＳＺ３が生成される場合について説明する。
【００２３】
この一例の場合、サイズ表ＳＣＨには、寸法要素毎の仕上がり寸法ＦＤＭが含まれている。この仕上がり寸法ＦＤＭに基づいて、寸法要素毎の推奨寸法幅ＲＤＭを算出する。例えば、サイズＳＺ「２８インチ」について、ウエストの仕上がり寸法ＦＤＭは、７７（ｃｍ）である。このウエストの仕上がり寸法：７７（ｃｍ）から、所定の計算式に基づいて、推奨されるヌード寸法：７０（ｃｍ）を算出する。隣接するサイズＳＺ（例えば、「２９インチ」）についても同様にして、推奨されるヌード寸法：７３（ｃｍ）を算出する。
これら２つの推奨されるヌード寸法（２８インチについて７０（ｃｍ）、２９インチについて７３（ｃｍ））に基づき、サイズＳＺ「２８インチ」のアイテムＩＴの推奨寸法幅ＲＤＭを「７０〜７３（ｃｍ）」と算出する。算出された推奨寸法幅ＲＤＭを、図５に示したサイズ情報ＤＳＺに書き込むことにより、サイズ情報ＤＳＺが生成される。
【００２４】
すなわち、サイズ情報ＤＳＺは、アイテムＩＴの各部の寸法と、当該アイテムＩＴの各部に対応する身体の各部の寸法との間の対応関係に基づいて生成されている。もちろん、カテゴリ毎のサイズ表ＳＣＨをそのままサイズ情報として扱ってもよい。その場合、ウエスト（仕上がり寸法）から所定量を調節（例えば２ｃｍ引くなど）してヌード寸法との比較するようにすればよい。
【００２５】
図３〜図５に示したように、サイズ情報ＤＳＺは、カテゴリＣＡＴ毎に個別に生成される。すなわち、記憶部１３は、複数のカテゴリＣＡＴについてカテゴリＣＡＴ毎にアイテムＩＴのサイズＳＺと身体寸法ＤＭとの対応関係を示すサイズ情報ＤＳＺを記憶する。
【００２６】
［推奨サイズ提示システム１の動作］
次に、本実施形態の推奨サイズ提示システム１の動作の一例について説明する。
図７は、本実施形態の推奨サイズ提示システム１の動作の一例を示す図である。
図８は、本実施形態の端末装置２０の表示部２５に表示される画像の構成の一例を示す図である。
【００２７】
上述したように、デジタルサイネージ装置ＳＮＧには、二次元コードＣＤが表示される。この二次元コードＣＤには、利用者Ｕの身体寸法ＤＭを示す寸法情報ＢＳＺが含まれている。利用者Ｕは、デジタルサイネージ装置ＳＮＧが表示する二次元コードＣＤを撮像する操作を行う。
【００２８】
（ステップＳ１０）端末装置２０の取得部２１は、デジタルサイネージ装置ＳＮＧに表示されている二次元コードＣＤ（すなわち、寸法情報ＢＳＺ）を撮像する。取得部２１は、撮像した画像情報を制御部２６に出力する。
すなわち、寸法情報ＢＳＺは、アイテムＩＴの販売店舗に設置される表示装置に表示される画像に符号化された状態で埋め込まれる。取得部２１は、表示装置に表示される画像を撮像し解読することにより、復号化された寸法情報ＢＳＺを取得する。
【００２９】
すなわち、取得部２１は、利用者Ｕが撮像された画像に基づいて当該利用者Ｕの身体寸法ＤＭを測定する採寸装置によって生成される寸法情報ＢＳＺを取得する。
【００３０】
（ステップＳ２０）制御部２６は、表示部２５に利用規約画像ＩＭ１０を表示する。利用規約画像ＩＭ１０とは、利用者Ｕの身体寸法ＤＭを用いて推奨サイズ提示システム１が利用者Ｕにサービスを提供することについての利用規約を示す画像である。
（ステップＳ３０）制御部２６は、利用者Ｕの承諾を得られなかった場合（ステップＳ３０；ＮＯ）には、処理を終了する。制御部２６は、利用者Ｕの承諾を得られた場合（ステップＳ３０；ＹＥＳ）には、処理をステップＳ４０に進める。
（ステップＳ４０）制御部２６は、サーバ装置１０との通信状況を判定する。制御部２６は、サーバ装置１０と通信部２３との間の通信において通信エラーが発生していると判定した場合（ステップＳ４０；ＮＯ）には、表示部２５に通信エラー画像ＩＭ２０を表示して、処理を終了する。制御部２６は、サーバ装置１０との間の通信において通信エラーが発生していないと判定した場合（ステップＳ４０；ＹＥＳ）には、処理をステップＳ５０に進める。
【００３１】
（ステップＳ５０）制御部２６は、マイサイズ計測結果画像ＩＭ３０を表示部２５に表示する。このマイサイズ計測結果画像ＩＭ３０には、利用者Ｕの身体寸法ＤＭの画像が含まれる。この利用者Ｕの身体寸法ＤＭとは、取得部２１が取得した寸法情報ＢＳＺが示す情報である。すなわち、表示部２５は、取得部２１が取得した寸法情報ＢＳＺが示す利用者Ｕの身体寸法ＤＭを表示する。
【００３２】
［マイサイズの登録］
マイサイズ計測結果画像ＩＭ３０には、利用者Ｕの身体寸法ＤＭを登録する操作を受け付ける操作画像が含まれる。
なお、以下の説明において、利用者Ｕの身体寸法ＤＭを「マイサイズ」とも記載し、利用者Ｕの身体寸法ＤＭを登録することを「マイサイズの登録」とも記載する。
また、マイサイズの登録とは、ボディースキャナ装置ＢＳＣ等によって計測された利用者Ｕの身体寸法ＤＭを、いずれかの記憶装置に記憶させることをいう。マイサイズの登録先の記憶装置は、端末装置２０の記憶部２４であってもよいし、サーバ装置１０の記憶部１３であってもよい。本実施形態の一例においては、マイサイズの登録先の記憶装置が、サーバ装置１０の記憶部１３であるとして説明する。また、マイサイズとして登録する項目は肩幅・身幅・着丈・身丈・首周り・裄丈・袖丈・袖幅・前開きの深さ・襟の高さなど、ボトムスについてウエスト・ヒップ・股上・わたり幅・股下（レングス）・スカート丈・膝幅・裾幅など、靴についてかかとの高さ・ヒールの高さ・ふくらはぎ周り・筒の高さ・甲の周りなど、帽子について頭周り・高さなど、ベルトについて全長・一番手前の穴までの長さ・末端の穴までの長さなどの寸法要素である。
【００３３】
（ステップＳ６０）制御部２６は、利用者Ｕがマイサイズの登録操作を行っていないと判定した場合（ステップＳ６０；ＮＯ）には、処理をステップＳ８０に進める。制御部２６は、利用者Ｕがマイサイズの登録操作を行ったと判定した場合（ステップＳ６０；ＹＥＳ）には、処理をステップＳ７０に進める。
【００３４】
（ステップＳ７０）制御部２６は、マイサイズ登録画像ＩＭ５０を表示部２５に表示する。なお、制御部２６は、ログイン画像ＩＭ４０を表示して利用者Ｕによるログイン操作を経た後に、マイサイズ登録画像ＩＭ５０をしてもよい。
【００３５】
ここで、マイサイズを登録する場合には、制御部２６は、利用者Ｕの身体寸法ＤＭと、利用者Ｕを識別するための識別情報ＵＩＤとを対応付けて、記憶部１３に記憶させる。この識別情報ＵＩＤは、例えば、ログイン操作時に受付部２２が利用者Ｕから受け付ける。
換言すれば、マイサイズの登録操作とは、表示部２５が表示する利用者Ｕの身体寸法ＤＭを、利用者Ｕを識別するための識別情報ＵＩＤと対応づけて記憶部１３に記憶させるための操作である。すなわち、受付部２２は、表示部２５が表示する利用者Ｕの身体寸法ＤＭを、利用者Ｕを識別するための識別情報ＵＩＤと対応づけて記憶部１３に記憶させるための操作を受け付ける。
【００３６】
図９は、本実施形態のマイサイズ登録画像ＩＭ５０の一例を示す図である。マイサイズ登録画像ＩＭ５０には、利用者Ｕの身体寸法ＤＭを示す画像（画像ＩＭ５０ａ）と、身体寸法ＤＭを変更する操作の操作画像（画像ＩＭ５０ｂ）と、マイサイズ登録操作の操作画像（画像ＩＭ５０ｃ）とが含まれる。例えば、端末装置２０の制御部２６は、ボディースキャナ装置ＢＳＣで測定し取得部２１によって読み込んだ寸法情報を初期のマイサイズとして表示部２５に表示させ、ユーザがタッチパネルを操作することで登録する内容を修正することができる。
【００３７】
ここで、利用者Ｕが、画像ＩＭ５０ｂを操作すると、受付部２２は、利用者Ｕによる操作を寸法変更操作ＯＰ１として受け付ける。すなわち、受付部２２は、表示部２５により表示している利用者Ｕの身体寸法ＤＭを変更する寸法変更操作ＯＰ１を受け付ける。寸法変更操作ＯＰ１には、画像ＩＭ５０ａに示される身体寸法ＤＭを増加させる操作及び減少させる操作が含まれる。
また、利用者Ｕが、画像ＩＭ５０ｃ（マイサイズ登録操作の操作画像）を操作すると、制御部２６は、利用者Ｕの身体寸法ＤＭと、利用者Ｕを識別するための識別情報ＵＩＤとを対応付けて、記憶部１３に記憶させる。
【００３８】
（ステップＳ８０）図７に戻り、制御部２６は、推奨サイズ表示画像ＩＭ６０を表示させる。ここで、推奨サイズＲＳおよび推奨サイズ表示画像ＩＭ６０について説明する。
なお、同図には、マイサイズ登録画像ＩＭ５０と推奨サイズ表示画像ＩＭ６０とが個別の画像であるとして説明するが、これに限られない。マイサイズ登録画像ＩＭ５０と推奨サイズ表示画像ＩＭ６０とは、１つの画像として構成されてもよい。
【００３９】
［推奨サイズＲＳの算出］
本実施形態の一例では、サーバ装置１０が推奨サイズＲＳを算出する。通信部２３は、寸法情報ＢＳＺをサーバ装置１０に送信する。この寸法情報ＢＳＺには、利用者Ｕの身体寸法ＤＭを示す情報が含まれている。
サーバ装置１０の演算部１２は、端末装置２０が送信した寸法情報ＢＳＺを取得する。演算部１２は、取得した寸法情報ＢＳＺと、取得部２１が取得した寸法情報ＢＳＺと記憶部１３が記憶しているサイズ情報ＤＳＺとに基づいて推奨情報ＲＭを導出（算出）する。この推奨情報ＲＭには、利用者Ｕに推奨する推奨サイズＲＳが含まれる。
一例として、演算部１２は、寸法情報ＢＳＺが示す利用者Ｕの身体寸法ＤＭを検索キーにして、記憶部１３に記憶されているサイズ情報ＤＳＺを検索する。演算部１２は、検索の結果得られたサイズ情報ＤＳＺを、推奨情報ＲＭとして取得する。
演算部１２は、算出（取得）した推奨情報ＲＭを、サーバ装置１０に対して送信する。
【００４０】
［推奨サイズＲＳの算出条件の具体例］
演算部１２による推奨サイズＲＳの算出条件の具体例について説明する。寸法情報ＢＳＺが示す利用者Ｕの身体寸法ＤＭには、複数種類の寸法要素が含まれている。このため、演算部１２は、身体寸法ＤＭを検索キーにしてサイズ情報ＤＳＺを検索する際に、身体寸法ＤＭの複数種類の寸法要素のうち、いずれかの要素を他の要素に優先して検索キーとする。以下、演算部１２が推奨サイズＲＳを算出する際に優先させる寸法要素の一例について、カテゴリＣＡＴごとに説明する。なお、以下の説明において（）内の一桁目の数字は第１階層カテゴリＣＡＴ１の識別番号を示し、二桁目の数字は第２階層カテゴリＣＡＴ２の識別番号を示す。なお、これらのカテゴリＣＡＴの識別番号は一例である。
【００４１】
Ａ．女性用アイテム
（Ｗ１）アウター
（Ｗ１１）ブルゾン・パーカ・ライダースジャケット
（Ｗ１２）ジャケット・コート
（Ｗ１３）ウルトラライトダウン
寸法要素の優先度：第１優先＝肩幅、第２優先＝着丈・身幅・袖丈のいずれか。
【００４２】
（Ｗ２）トップス
（Ｗ２１）ブルゾン・パーカ・ライダースジャケット
寸法要素の優先度：第１優先＝バスト、第２優先＝着丈・裄丈・袖幅のいずれか。
【００４３】
（Ｗ２２）ニット（セーター・カーディガン）
（Ｗ２３）ＵＴ（グラフィックＴシャツ）
（Ｗ２４）Ｔシャツ（半袖・ノースリーブ）
（Ｗ２５）Ｔシャツ（長袖・７分袖）
寸法要素の優先度：第１優先＝肩幅、第２優先＝身丈・身幅・袖丈のいずれか。
【００４４】
（Ｗ２６）スウェット・パーカー
寸法要素の優先度：第１優先＝身幅、第２優先＝袖丈。
【００４５】
（Ｗ３）ボトムス
（Ｗ３１）ジーンズ
（Ｗ３２）ワイドパンツ
（Ｗ３３）レギンスパンツ
（Ｗ３４）アンクルパンツ・クロップドパンツ
（Ｗ３５）ショートパンツ
（Ｗ３６）ロングパンツ
寸法要素の優先度：第１優先＝ヒップ、第２優先＝ウエスト・わたり・股上・裾幅のいずれか。
【００４６】
（Ｗ３７）スカート
寸法要素の優先度：第１優先＝ウエスト、第２優先＝ヒップ・わたり・股上・裾幅のいずれか。
【００４７】
（Ｗ４）ワンピース
（Ｗ４１）ワンピース・サロペット
寸法要素の優先度：第１優先＝肩幅、第２優先＝着丈・身幅・袖丈のいずれか。
【００４８】
（Ｗ５）インナー
（Ｗ５１）ブラトップ
寸法要素の優先度：第１優先＝身幅、第２優先＝身丈。
【００４９】
（Ｗ５２）ワイヤレスブラ・ショーツ
寸法要素の優先度：第１優先＝バスト。
【００５０】
（Ｗ５３）トップス
寸法要素の優先度：第１優先＝身幅、第２優先＝身丈。
【００５１】
（Ｗ５４）ソックス・レギンス・タイツ・ストッキング
寸法要素の優先度：第１優先＝ウエスト・ヒップのいずれか。
【００５２】
（Ｗ６）ルーム・ホーム
（Ｗ６１）ルームウェア・パジャマ
寸法要素の優先度：第１優先＝肩幅・ウエストのいずれか、第２優先＝着丈・身幅・袖丈・ヒップ・わたり・股上・裾幅のいずれか。
【００５３】
（Ｗ６２）ステテコ・リラコ
寸法要素の優先度：第１優先＝ウエスト、第２優先＝ヒップ・わたり・股上・裾幅のいずれか。
【００５４】
Ｂ．男性用アイテム
（Ｍ１）アウター
（Ｍ１１）ジャケット・コート
（Ｍ１２）ブルゾン・パーカ・ライダースジャケット
（Ｍ１３）ウルトラライトダウン
寸法要素の優先度：第１優先＝肩幅、第２優先＝着丈・身幅・袖丈のいずれか。
【００５５】
（Ｍ２）トップス
（Ｍ２１）ドレスシャツ
（Ｍ２２）カジュアルシャツ
（Ｍ２３）ポロシャツ
寸法要素の優先度：第１優先＝バスト、第２優先＝着丈・裄丈・袖幅のいずれか。
【００５６】
（Ｍ２４）ＵＴ（グラフィックＴシャツ）
（Ｍ２５）Ｔシャツ（半袖・ノースリーブ）
（Ｍ２５）Ｔシャツ（長袖・７分袖）
（Ｍ２６）ニット（セーター・カーディガン）
（Ｍ２７）スウェット・パーカー
寸法要素の優先度：第１優先＝肩幅、第２優先＝身丈・身幅・袖丈のいずれか。
【００５７】
（Ｍ３）ボトムス
（Ｍ３１）ジーンズ
（Ｍ３２）チノパンツ
（Ｍ３３）ドライストレッチパンツ
（Ｍ３４）アンクルパンツ・ジョガーパンツ
（Ｍ３５）ハーフパンツ・ショートパンツ
（Ｍ３６）ロングパンツ
寸法要素の優先度：第１優先＝ヒップ、第２優先＝ウエスト・わたり・股上・裾幅のいずれか。
【００５８】
（Ｍ４）インナー
（Ｍ４１）トップス
寸法要素の優先度：第１優先＝肩幅、第２優先＝身丈・身幅・袖丈のいずれか。
【００５９】
（Ｍ４２）ブリーフ・トランクス・ステテコ
寸法要素の優先度：第１優先＝ヒップ、第２優先＝ウエスト・わたり・股上・裾幅のいずれか。
【００６０】
（Ｍ５）ルーム・ホーム
（Ｍ５１）ルームウェア・パジャマ
寸法要素の優先度：第１優先＝肩幅・ウエストのいずれか、第２優先＝着丈・身幅・袖丈・ヒップ・わたり・股上・裾幅のいずれか。
【００６１】
（Ｍ５２）ステテコ・リラコ
寸法要素の優先度：第１優先＝ウエスト、第２優先＝ヒップ・わたり・股上・裾幅のいずれか。
【００６２】
［推奨サイズ表示画像ＩＭ６０について］
制御部２６は、上述のようにしてサーバ装置１０が送信した推奨情報ＲＭを受信し、受信した推奨情報ＲＭに基づいて推奨サイズ表示画像ＩＭ６０を生成し、表示部２５に表示する。図１０を参照して推奨サイズ表示画像ＩＭ６０の一例について説明する。
【００６３】
図１０は、本実施形態の推奨サイズ表示画像ＩＭ６０の一例を示す図である。推奨サイズ表示画像ＩＭ６０には、推奨情報ＲＭがカテゴリＣＡＴ毎に階層的に示される。すなわち、表示部２５は、利用者Ｕに推奨する推奨サイズＲＳを含む推奨情報ＲＭを、複数のカテゴリＣＡＴ毎に表示する。
より具体的には、推奨サイズ表示画像ＩＭ６０には、推奨サイズＲＳと、操作画像Ｂ１と、操作画像Ｂ２とが、第１階層カテゴリＣＡＴ１及び第２階層カテゴリＣＡＴ２毎に表示される。操作画像Ｂ１は、第２階層カテゴリＣＡＴ２の表示・非表示を切り替える操作を受け付ける画像である。操作画像Ｂ２は、各カテゴリＣＡＴに含まれるアイテムＩＴの購入画像を表示させる操作を受け付ける画像である。
【００６４】
利用者Ｕは、操作画像Ｂ１を操作することにより、推奨サイズＲＳの表示対象のカテゴリＣＡＴを選択することができる。この利用者Ｕによる操作画像Ｂ１に対する操作をカテゴリ選択操作ＯＰ２とも称する。受付部２２は利用者ＵによるカテゴリＣＡＴを選択するための操作（すなわち、カテゴリ選択操作ＯＰ２）を受け付け、表示部２５は受付部２２が受け付けた操作に対応するカテゴリＣＡＴについて推奨情報ＲＭを表示する。
【００６５】
カテゴリＣＡＴは複数の階層によって分類されている。本実施形態の一例では、カテゴリＣＡＴは、上述したように第１階層カテゴリＣＡＴ１及び第２階層カテゴリＣＡＴ２の複数階層を有する。表示部２５は、受付部２２が受け付ける上位階層のカテゴリ選択操作ＯＰ２が示す上位階層のカテゴリＣＡＴに分類されている下位階層のカテゴリＣＡＴについての推奨情報ＲＭを、下位階層のカテゴリＣＡＴ毎に表示する。
例えば、図１０に示す推奨サイズ表示画像ＩＭ６０において、受付部２２は、第１階層カテゴリＣＡＴ１「女性アウター」の操作画像Ｂ１１に対してカテゴリ選択操作ＯＰ２を受け付ける。この場合、表示部２５は、第１階層カテゴリＣＡＴ１「女性アウター」の下位階層である第２階層カテゴリＣＡＴ２を表示する。この一例では、表示部２５は、第２階層カテゴリＣＡＴ２として、「ブルゾン・パーカー・ライダースジャケット」「ジャケット・コート」「ストレッチテーラードジャケット」「ウルトラライトダウン」についての推奨サイズＲＳ（推奨サイズＲＳ１〜ＲＳ４）をそれぞれ表示する。
【００６６】
（ステップＳ９０）図７に戻り、制御部２６は、推奨サイズ表示画像ＩＭ６０においてアイテムＩＴが選択されたか否かを判定する。制御部２６は、アイテムＩＴが選択されたと判定した場合（ステップＳ９０；ＹＥＳ）には、処理をステップＳ１００に進める。制御部２６は、アイテムＩＴが選択されていないと判定した場合（ステップＳ９０；ＮＯ）には、推奨サイズ表示画像ＩＭ６０の表示を継続し、一連の処理を終了する。
【００６７】
（ステップＳ１００）制御部２６は、アイテム購入画像ＩＭ７０を表示させる。すなわち、受付部２２により表示部２５が表示しているアイテムＩＴの１つが選択されると、表示部２５は、当該アイテムＩＴについての情報を表示する。アイテム購入画像ＩＭ７０の一例について、図１１を参照して説明する。
【００６８】
［アイテム購入画像ＩＭ７０について］
図１１は、本実施形態のアイテム購入画像ＩＭ７０の一例を示す図である。アイテム購入画像ＩＭ７０には、ステップＳ９０において選択されたカテゴリＣＡＴに分類されているアイテムＩＴの画像ＩＭ７１と、サイズＳＺ毎の在庫状況を示す画像ＩＭ７２と、アイテムＩＴの販売価格を示す画像ＩＭ７３と、操作画像Ｂ３（購入操作画像）とが表示される。
【００６９】
利用者Ｕは、操作画像Ｂ３を操作することにより、アイテムＩＴの発注を行うことができる。この利用者Ｕによる操作画像Ｂ２に対する操作を発注操作ＯＰ３とも称する。受付部２２は、表示部２５が表示したアイテムＩＴを発注する発注操作ＯＰ３を受け付け、表示部２５は、発注操作ＯＰ３に基づく発注情報ＯＤを表示する。
【００７０】
なお、アイテム購入画像ＩＭ７０は、アイテムＩＴの在庫情報ＳＫに基づく表示がなされてもよい。例えば、通信部２３は記憶部１３からアイテムＩＴについての在庫情報ＳＫを取得する。表示部２５は、取得した在庫情報ＳＫに基づいて、カテゴリＣＡＴに含まれるアイテムＩＴのうち、推奨サイズＲＳの在庫があるアイテムＩＴを、推奨サイズＲＳの在庫がないアイテムＩＴに対して優先的に表示する。在庫情報ＳＫはサーバ装置１０と通信可能な在庫管理システム（不図示）によって管理され、通信部２３はサーバ装置１０経由で在庫情報ＳＫを取得する。在庫管理システムはアイテムＩＴ毎に且つサイズ毎に在庫数を保持している。また、在庫管理システムは、店舗の在庫数と店舗の倉庫（バックルーム）毎に在庫を区別して保持している。
【００７１】
［アイテム情報画像ＩＭ８０について］
端末装置２０は、他の利用者によるアイテムＩＴについての評価などの情報を表示部２５に表示させてもよい。他の利用者による評価はサーバ装置１０と通信可能な評価管理システム（不図示）によって管理され、通信部２３はサーバ装置１０経由で評価を取得する。評価管理システムはアイテムＩＴ毎に、サイズ毎に、且つ評価者の推奨サイズ毎に評価を保持している。また、評価管理システムは、評価として、例えば、「１点：悪い、２点：あまり良くない、３点：普通、４点：まぁまぁ良い、５点：良い」のいずれかの値を保持している。
図１２は、本実施形態のアイテム情報画像ＩＭ８０の一例を示す図である。表示部２５は、推奨サイズＲＳのアイテムＩＴに対する他の利用者Ｕによる評価を表示する。
【００７２】
表示部２５は、取得部２１により取得した寸法情報ＢＳＺが示す寸法に類似する寸法の他の利用者による評価を表示する。
一例として、表示部２５は、利用者Ｕの体型に近い他の利用者による、推奨サイズＲＳについての評価を提示する。
なお、同図に示すように、表示部２５は、他の利用者による評価をグラフ化した画像を表示してもよい。同図に示す一例として、表示部２５は、他の利用者のうち、「Ｓサイズ」を購入した利用者による高評価の件数を示すグラフＧｓ、「Ｍサイズ」を購入した利用者による高評価の件数を示すグラフＧｍ、「Ｌサイズ」を購入した利用者による高評価の件数を示すグラフＧｌを表示する。すなわち、表示部２５は、例えば、利用者Ｕの体型に近い他の利用者の評価を、当該他の利用者が購入したアイテムＩＴのサイズＳＺ別に表示してもよい。
【００７３】
また、他の一例として、表示部２５は、表示対象のアイテムＩＴについて、利用者Ｕに提示された推奨サイズＲＳと同一の推奨サイズＲＳが提示された他の利用者による、推奨サイズＲＳについての評価を提示してもよい。
【００７４】
表示部２５は、寸法情報ＢＳＺが示す寸法のアイテムＩＴを購入した他の利用者による評価を当該寸法のアイテムＩＴを購入していない利用者Ｕと区別して表示する。例えば、表示部２５は、あるアイテムＩＴについて、利用者Ｕに対する推奨サイズＲＳが「Ｌサイズ」である場合、当該アイテムＩＴの「Ｌサイズ」を購入している他の利用者による評価を、当該アイテムＩＴを購入していない他の利用者による評価、または当該アイテムＩＴの他のサイズＳＺを購入している他の利用者による評価と区別して表示する。
なお、他の利用者による評価には、ＳＮＳ(social networking service)に対するコメントの内容や「いいね」などの書込み結果、店頭でのアンケート結果などが広く含まれ、それらを紐付けて表示させてもよい。
【００７５】
以上説明したように、推奨サイズ提示システム１は、利用者Ｕの身体の寸法と、アイテムＩＴのサイズＳＺとに基づいて、複数あるアイテムＩＴのサイズＳＺのうち、利用者Ｕに適したサイズＳＺを提示する。すなわち、本実施形態の推奨サイズ提示システム１は、利用者Ｕに対して、どのようなサイズの衣類を購入すればよいのかという情報を提示する。このように構成された推奨サイズ提示システム１によれば、利用者Ｕに適したサイズＳＺのアイテムＩＴが提示されるため、アイテム選定時の利用者Ｕによる操作を簡便にし、利用者Ｕのアイテム購入の動機づけを行うことができる。
【００７６】
また、推奨サイズ提示システム１は、測定された利用者Ｕの身体の寸法の情報を、「マイサイズ」として利用者Ｕ毎に登録することができる。このように構成された推奨サイズ提示システム１によれば、例えば、購入の度に利用者Ｕの身体寸法ＤＭを測定しなくても、利用者Ｕに適したサイズＳＺのアイテムＩＴを提示することができる。すなわち、本実施形態の推奨サイズ提示システム１によれば、アイテムＩＴの選定や購入の際の利用者Ｕの手間を低減することができる。
【００７７】
また、推奨サイズ提示システム１は、利用者Ｕに推奨するアイテムＩＴのサイズＳＺを、アイテムＩＴのカテゴリＣＡＴ毎に提示する。
例えば、利用者Ｕの体型によっては、トップスは「Ｌサイズ」が適しており、ボトムスは「Ｍサイズ」が適している場合がある。このような場合、利用者Ｕに推奨するサイズ（推奨サイズ）を、カテゴリＣＡＴに関わらず例えば「Ｌサイズ」としてしまうと、トップスの推奨サイズが適切であったとしても、ボトムスの推奨サイズが適切でない、という問題が生じてしまうことがある。
本実施形態の推奨サイズ提示システム１は、カテゴリＣＡＴごとに推奨サイズＲＳを選定するため、利用者Ｕの体型によらず、適切なサイズＳＺを提示することができる。
【００７８】
また、一般に、アイテムＩＴによっては、同一のサイズＳＺであっても、カテゴリＣＡＴ毎に利用者Ｕが感じるサイズ感や、仕上がり寸法の傾向が異なる場合がある。例えば、「トップス」のうちの「ブルゾン」と「ジャケット」について、「ブルゾン」はざっくりと羽織るように仕上がり寸法が設計され、「ジャケット」はややタイトな着心地になるように仕上がり寸法が設計される、といった場合がある。このような場合、「ブルゾン」の「Ｌサイズ」と、「ジャケット」の「Ｌサイズ」とでは、利用者Ｕが感じるサイズ感が異なる場合がある。
本実施形態の推奨サイズ提示システム１は、アイテムＩＴのカテゴリＣＡＴ毎に推奨サイズＲＳを提示するため、上述のようにカテゴリＣＡＴ毎に利用者Ｕが感じるサイズ感や、仕上がり寸法の傾向が異なる場合であっても、利用者Ｕにより適したサイズＳＺを提示することができる。
また、推奨サイズ提示システム１は、複数階層のカテゴリＣＡＴによって、アイテムＩＴのサイズＳＺを分類しているため、カテゴリＣＡＴが単一階層である場合に比べて、利用者Ｕにより適したサイズＳＺを提示することができる。
【００７９】
また、本実施形態の推奨サイズ提示システム１は、推奨したサイズＳＺのアイテムＩＴについての、他の利用者の評価を提示することにより、アイテム購入を検討している利用者Ｕに対して、アイテム購入の動機付けをすることができる。
また、本実施形態の推奨サイズ提示システム１は、利用者Ｕの体型に近い他の利用者による、推奨サイズＲＳについての評価を提示することにより、推奨サイズ提示システム１が提示する推奨サイズＲＳに対する利用者Ｕの信頼感や、アイテム購入の機運を向上させることができる。
【００８０】
［変形例］
図１３は、本実施形態の推奨サイズ表示画像ＩＭ６０の変形例を示す図である。本変形例における推奨サイズ表示画像ＩＭ６０ａには、カテゴリＣＡＴが、男性用と女性用とに分類されて表示される点で、上述した推奨サイズ表示画像ＩＭ６０と異なる。すなわち、推奨サイズ表示画像ＩＭ６０ａには、男性タブ１００１と、女性タブ１００２とが示される。このように構成された推奨サイズ提示システム１によれば、男性タブ１００１と、女性タブ１００２とによってカテゴリＣＡＴ及びアイテムＩＴが分類されて示されることにより、利用者Ｕの利便性をより向上させることができる。なお、図７のステップＳ６０でユーザによる性別を受け付け、対応するタブの内容を表示させるようにすればよい。
【００８１】
以上、本発明の実施形態を、図面を参照して詳述してきたが、具体的な構成はこの実施形態に限られるものではなく、本発明の趣旨を逸脱しない範囲で適宜変更を加えることができる。
【００８２】
なお、上述の各装置は内部にコンピュータを有している。そして、上述した各装置の各処理の過程は、プログラムの形式でコンピュータ読み取り可能な記録媒体に記憶されており、このプログラムをコンピュータのＣＰＵが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００８３】
また、上記プログラムは、前述した機能の一部を実現するためのものであってもよい。
さらに、前述した機能をコンピュータシステムにすでに記録されているプログラムとの組み合わせで実現できるもの、いわゆる差分ファイル（差分プログラム）であってもよい。
【符号の説明】
【００８４】
１…推奨サイズ提示システム、１０…サーバ装置、１１…通信部、１２…演算部、１３…記憶部、２０…端末装置、２１…取得部、２２…受付部、２３…通信部、２４…記憶部、２５…表示部、２６…制御部、ＣＡＴ…カテゴリ、ＢＳＣ…ボディースキャナ装置、ＳＮＧ…デジタルサイネージ装置
【図１】
2020095633.tif 000003
【図２】
2020095633.tif 000004
【図３】
2020095633.tif 000005
【図４】
2020095633.tif 000006
【図５】
2020095633.tif 000007
【図６】
2020095633.tif 000008
【図７】
2020095633.tif 000009
【図８】
2020095633.tif 000010
【図９】
2020095633.tif 000011
【図１０】
2020095633.tif 000012
【図１１】
2020095633.tif 000013
【図１２】
2020095633.tif 000014
【図１３】
2020095633.tif 000015